(57)【要約】【課題】  予め作成されている小組のＤＴＰデータを利用できるＤＴＰ方法及びその装置を提供する。【解決手段】  流用小組ＤＴＰデータ生成部１１１で流用した小組ＤＴＰデータ等をファイルサーバ１０１に格納しておく。ＸＳＬＴ電子文書生成部１１４は、小組配置・物件割付け部１１３により生成された小組及び物件データの組合せについての小組ＤＴＰデータがファイルサーバ１０１に格納されているかを判断し、そうである場合には、その小組ＤＴＰデータを流用する旨の記述をＸＳＬＴ電子文書１１７に挿入する。ＸＳＬＴプロセッサ１１７は、その情報を引き継いだＸＳＬ−ＦＯ電子文書１１８を生成する。ＸＳＬ−ＦＯプロセッサ１１９は、その情報に係る小組については、ファイルサーバ１０１に格納されている小組ＤＴＰデータを流用したカタログＤＴＰデータを生成する。【選択図】        図１１
2005165409.tif 000002
【特許請求の範囲】
【請求項１】
１又は複数の小組及び該小組に割り付けるデータの組合せについてＤＴＰ(Desk Top Publishing)データを生成し、又は、１又は複数のページについてのＤＴＰデータから１又は複数の小組及び該小組に割り付けるデータの組合せについてのＤＴＰデータを抽出する小組ＤＴＰデータ生成ステップと、
１又は複数のページのうちの各ページに１又は複数の小組を割り付け、割り付けられた各小組にデータを割り付けるページ生成ステップと、
前記ページ生成ステップにおける割り付けにより生成された１又は複数の小組及びデータの組合せのうちの各小組及びデータの組合せについて、前記小組ＤＴＰデータ生成ステップによりＤＴＰデータが生成又は抽出されているか否かを判断する判断ステップと、
前記判断ステップにおいて前記ＤＴＰデータが生成又は抽出されていることが判断された小組及びデータの組合せについて、該小組及びデータの組合せについてのＤＴＰデータを代入する記述が挿入された組版用電子文書を生成する組版用電子文書生成ステップと、
を備えることを特徴とするＤＴＰ方法。
【請求項２】
請求項１に記載のＤＴＰ方法において、
前記組版用電子文書生成ステップにおいて、前記判断ステップにおいて前記ＤＴＰデータが生成されていないことが判断された小組及びデータの組合せについては、該小組及びデータの各要素に関する具体的な記述を前記組版用電子文書に挿入することを特徴とするＤＴＰ方法。
【請求項３】
請求項１に記載のＤＴＰ方法において、
前記組版用電子文書を基に、ＤＴＰデータが生成され又は抽出されていることが判断された小組及びデータの組合せについてのＤＴＰデータを含んだ１又は複数のページについてのＤＴＰデータを生成するページＤＴＰデータ生成ステップを更に備えることを特徴とするＤＴＰ方法。
【請求項４】
１又は複数の小組及び該小組に割り付けるデータの組合せについてＤＴＰ(Desk Top Publishing)データを生成し、又は、１又は複数のページについてのＤＴＰデータから１又は複数の小組及び該小組に割り付けるデータの組合せについてのＤＴＰデータを抽出する小組ＤＴＰデータ生成手段と、
１又は複数のページのうちの各ページに１又は複数の小組を割り付け、割り付けられた各小組にデータを割り付けるページ生成手段と、
前記ページ生成手段における割り付けにより生成された１又は複数の小組及びデータの組合せのうちの各小組及びデータの組合せについて、前記小組ＤＴＰデータ生成手段によりＤＴＰデータが生成又は抽出されているか否かを判断する判断手段と、
前記判断手段において前記ＤＴＰデータが生成又は抽出されていることが判断された小組及びデータの組合せについて、該小組及びデータの組合せについてのＤＴＰデータを代入する記述が挿入された組版用電子文書を生成する組版用電子文書生成手段と、
を備えることを特徴とするＤＴＰ装置。
【請求項５】
請求項４に記載のＤＴＰ装置において、
前記組版用電子文書生成手段において、前記判断手段において前記ＤＴＰデータが生成されていないことが判断された小組及びデータの組合せについては、該小組及びデータの各要素に関する具体的な記述を前記組版用電子文書に挿入することを特徴とするＤＴＰ装置。
【請求項６】
請求項４に記載のＤＴＰ装置において、
前記組版用電子文書を基に、ＤＴＰデータが生成され又は抽出されていることが判断された小組及びデータの組合せについてのＤＴＰデータを含んだ１又は複数のページについてのＤＴＰデータを生成するページＤＴＰデータ生成手段を更に備えることを特徴とするＤＴＰ装置。
【請求項７】
請求項１乃至３のいずれか１項に記載のＤＴＰ方法をコンピュータに実行させるためのプログラム。
【発明の詳細な説明】
【技術分野】
【０００１】
本発明は、ＤＴＰ(Desk Top Publishing)方法及びＤＴＰ装置に関し、特に、小組を構成要素としてＤＴＰを行うＤＴＰ方法及びＤＴＰ装置に関する。
【背景技術】
【０００２】
中古車情報誌、住宅情報誌、求人情報誌、旅行情報誌、チケット情報誌等の物件情報掲載誌においては、掲載する物件数が多く、各号とその次の号との間に追加又は削除される物件があり、また、物件データを割り付ける小組の種類の数が少ない。このような物件情報掲載誌の特性に適合したＤＴＰ方法として本出願の出願人は、データベースパブリッシング方法を発明し、この発明の一部は特許文献１に掲載されている。データベースパブリッシング方法においては、物件情報掲載誌に掲載される可能性のある物件データをデータベースに格納し、フィルタにより当該物件掲載誌に掲載する物件データをデータベースから選択し、テンプレート化された小組をページに配置し、ページに配置された小組に選択された物件データを割り付ける。そして、所定の位置に配置され、物件データが割り付けられた小組を含むページを印刷するための組版用電子文書であるＸＳＬ−ＦＯ(eXtensible Stylesheet Language-Formatting Object)電子文書を作成する。
【特許文献１】特開２００３−１５０５８１号公報
【発明の開示】
【発明が解決しようとする課題】
【０００３】
しかしながら、特許文献１の発明では以下のような問題点がある。
【０００４】
すなわち、ＸＳＬ−ＦＯ電子文書を基にＸＳＬ−ＦＯプロセッサが生成したＤＴＰデータは、そのまま印刷に利用されるとは限らず、ＤＴＰソフトウェアを用いてオペレータにより修正された後に印刷に利用される場合がしばしばある。ＤＴＰデータの修正においては、一部の小組のレイアウトが修正されたり、一部の小組に割り付けられている物件データが修正されたりする。
【０００５】
このようにレイアウトや物件データが修正された小組は、その時に出版しようとしている物件情報掲載誌において利用されることは勿論のことであるが、そのような小組を次号以降の物件情報掲載誌においても利用したいという要望もある。
【０００６】
しかし、特許文献１の発明を利用した場合、次号以降のＤＴＰデータもＸＳＬ−ＦＯ文書を基にＸＳＬ−ＦＯプロセッサにより生成されるので、次号以降のＤＴＰデータのうちの小組に関する同様な修正を毎号繰り返さなければならない。
【０００７】
また、特定の物件データが掲載された特定の小組については、データベースから選択された物件データをそのまま用いずに、修正を加えること及び／又はテンプレートのままの小組を用いずに修正した小組を用いることを予め企画している場合がある。この様な場合、物件データを割り付けた小組を作成し、ＤＴＰ上においてその小組を修正することとなるが、そのように修正された小組についてのＤＴＰデータを用いることが予め織り込まれている組版用電子文書を作成することが特許文献１の発明ではできなかった。
【０００８】
そこで、本発明は、予め作成されている小組のＤＴＰデータを利用できる、すなわちＤＴＰデータにＤＴＰデータを埋め込むことができる、ＤＴＰ方法及びその装置を提供することを目的とする。
【課題を解決するための手段】
【０００９】
本発明によれば、１又は複数の小組及び該小組に割り付けるデータの組合せについてＤＴＰデータを生成し、又は、１又は複数のページについてのＤＴＰデータから１又は複数の小組及び該小組に割り付けるデータの組合せについてのＤＴＰデータを抽出する小組ＤＴＰデータ生成ステップと、１又は複数のページのうちの各ページに１又は複数の小組を割り付け、割り付けられた各小組にデータを割り付けるページ生成ステップと、前記ページ生成ステップにおける割り付けにより生成された１又は複数の小組及びデータの組合せのうちの各小組及びデータの組合せについて、前記小組ＤＴＰデータ生成ステップによりＤＴＰデータが生成又は抽出されているか否かを判断する判断ステップと、前記判断ステップにおいて前記ＤＴＰデータが生成又は抽出されていることが判断された小組及びデータの組合せについて、該小組及びデータの組合せについてのＤＴＰデータを代入する記述が挿入された組版用電子文書を生成する組版用電子文書生成ステップと、を備えることを特徴とするＤＴＰ方法が提供される。
【００１０】
また、本発明によれば、上記のＤＴＰ方法において、前記組版用電子文書生成ステップにおいて、前記判断ステップにおいて前記ＤＴＰデータが生成されていないことが判断された小組及びデータの組合せについては、該小組及びデータの各要素に関する具体的な記述を前記組版用電子文書に挿入することを特徴とするＤＴＰ方法が提供される。
【００１１】
更に、本発明によれば、上記のＤＴＰ方法において、前記組版用電子文書を基に、ＤＴＰデータが生成され又は抽出されていることが判断された小組及びデータの組合せについてのＤＴＰデータを含んだ１又は複数のページについてのＤＴＰデータを生成するページＤＴＰデータ生成ステップを更に備えることを特徴とするＤＴＰ方法が提供される。
【発明の効果】
【００１２】
従来は、カタログ（１又は複数のページの集合）についてのＤＴＰデータを作成してから、過去と同一の校正を小組ＤＴＰデータに対して行う必要があったが、本発明によれば、校正済みの小組ＤＴＰデータを流用する情報が織り込まれた組版用電子文書を作成するので、従来のような必要が無くなる。
【発明を実施するための最良の形態】
【００１３】
以下、図面を参照して本発明を実施するための最良の形態について説明する。
【００１４】
まず、本実施形態によるＤＴＰ方法の全体について説明する。ＤＴＰ方法は、大きく分けて、小組ＤＴＰデータを流用する処理、小組ＤＴＰデータを生成する処理及びページアップを行う処理を備える。ＤＴＰ方法は、小組ＤＴＰデータを流用する処理及び小組ＤＴＰデータを生成する処理の両者を共に備える必要は無く、一方が欠けていても良い。すなわち、ＤＴＰ方法は、小組ＤＴＰデータを流用する処理及びページアップを行う処理のみを備えていても良く、また、小組ＤＴＰデータを生成する処理及びページアップを行う処理のみを備えていても良い。
【００１５】
小組ＤＴＰデータを流用する処理においては、次のことが行われる。すなわち、予め作成されている小組のＤＴＰデータを過去に作成したカタログのＤＴＰデータから抜き出して、抜き出した小組のＤＴＰデータのコピーを作成し、コピーされた小組のＤＴＰデータをＤＴＰ上で校正して、校正後の小組のＤＴＰデータをファイルサーバに設けられたカタログのフォルダの下のフォルダに格納する。
【００１６】
小組ＤＴＰデータを生成する処理では、次のことが行われる。すなわち、予め用意されている複数の小組テンプレートから所望の小組テンプレートを選択して、その小組テンプレートに物件データを割り付け、選択されて物件データが割り付けられた小組テンプレートを基に小組のＤＴＰデータを作成し、ファイルサーバに設けられたカタログのフォルダの下のフォルダに格納する。作成された小組のＤＴＰデータをＤＴＰ上で校正する。
【００１７】
ページアップを行う処理では、以下のことが行われる。すなわち、特許文献１に記載されているように、物件データベース作成手段、ＤＴＰ手段、小組スタイル情報生成手段、小組テンプレート生成手段、マスターレイアウト生成手段により物件データベース、小組テンプレート及びマスターレイアウトを生成した上で、小組配置・物件割当手段により、作成するカタログの１又は複数のページのうちの各ページに１又は複数の小組テンプレートを割り付け、割り付けた小組テンプレートに物件データベースからフィルタにより抽出された物件データを割り付ける。
【００１８】
これらの割付により生じた小組テンプレート及び物件データの組合せが小組ＤＴＰデータを流用する処理で流用された小組テンプレート及び物件データの組合せ又は小組ＤＴＰデータを生成する処理で生成された小組テンプレート及び物件データの組合せにあるか否かを判断する。ある場合には、その小組テンプレート及び物件データの組合せについては、ＤＴＰデータを流用する旨の記述をＸＳＬＴ電子文書に挿入する。一方、ない場合には、その小組テンプレート及び物件データの組合せについては、特許文献１と同様な記述をＸＳＬＴ電子文書に挿入する。
【００１９】
また、上記の割付けによりページに割り付けられることとなった全ての物件データのうちの少なくとも小組ＤＴＰデータを流用する処理及び小組ＤＴＰデータを生成する処理で生成したＤＴＰデータを用いない小組に割り付ける物件データを記述したＸＭＬ電子文書を生成する。
【００２０】
そして、ＸＳＬＴプロセッサにより、上記のＸＳＬＴ電子文書及びＸＭＬ電子文書を基に、組版用電子文書としてのＸＳＬ−ＦＯ電子文書を生成するが、ＸＳＬ−ＦＯ電子文書のうちのＸＳＬＴ電子文書においてＤＴＰデータを流用する旨の記述がなされている部分に対応する部分でも、ＸＳＬＴ電子文書と同様に、ＤＴＰデータを流用する旨の記述をする。ＸＳＬ−ＦＯ電子文書のうちのＸＳＬＴ電子文書においてＤＴＰデータを流用する旨の記述がなされず、特許文献１と同様な記述がなされている部分に対応する部分では、特許文献１と同様な記述をする。
【００２１】
そして、ＸＳＬ−ＦＯプロセッサにより、組版用電子文書としてのＸＳＬ−ＦＯ文書を基にページについてのＤＴＰデータを生成するが、ＸＳＬ−ＦＯ電子文書のうちのＤＴＰデータを流用する旨の記述がなされている小組については、上記カタログのフォルダ下のフォルダに格納されている小組ＤＴＰデータをそのままページのＤＴＰデータの一部として流用する。ＸＳＬ−ＦＯ電子文書のうちのＤＴＰデータを流用する旨の記述がなされず、特許文献１と同様な記述がなされている部分については、ＸＳＬ−ＦＯ文書に記述されている内容に従ってＤＴＰデータを生成する。
【００２２】
次に、本実施形態によるＤＴＰ方法の詳細について説明する。以下の説明では、月刊の英会話教室掲載誌の６月号が既に発行されており、現在、７月号の制作をしている情況を想定している。
【００２３】
まず、図１（ａ）に示すように、ファイルサーバ１０１には、フォルダ「６月号カタログ」が作成されており、その下に、フォルダ「画像」並びにフォルダ「小組Ａ」、「小組Ｂ」及び「小組Ｃ」が作成されている。フォルダ「画像」の下にはフォルダ「共通画像」が作成されている。６月号のカタログ全体を通じて共通に利用する画像は、フォルダ「共通画像」に格納されており、６月号の各小組で独自に利用する画像は、フォルダ「画像」直下に格納されている。フォルダ「小組Ａ」、「小組Ｂ」及び「小組Ｃ」は、小組テンプレートＡ、小組テンプレートＢ、小組テンプレートＣに対応する。すなわち、小組テンプレート毎にこれらのフォルダが作成されている。そして、例えば、フォルダ「小組Ａ」の下には、小組テンプレートＡに割り付けた物件データのフォルダが物件データ毎に作成されている。例えば、フォルダ「１＿ＧＲＥＥＮＷＯＯＤ」には、小組テンプレートＡに物件「ＧＲＥＥＮＷＯＯＤ」の物件データを割り付けて特許文献１に記載の処理をすることにより得られたＤＴＰデータ（画像を除く。）が格納されている。フォルダ名「１＿ＧＲＥＥＮＷＯＯＤ」のうちの「１」は、物件ＩＤを示し、「ＧＲＥＥＮＷＯＯＤ」は物件名を示す。フォルダ「１＿ＧＲＥＥＮＷＯＯＤ」に格納されているＤＴＰデータの原型は、ＸＳＬ−ＦＯプロセッサが生成したものであるが、その後、ＤＴＰ上で変更されている場合もある。フォルダ「３＿ＡＢＣインターナショナル・ランゲージスクール」、「６＿ＳｔｅｐＵｐ英会話」等の他のフォルダについても同様である。
【００２４】
従って、フォルダ「小組Ａ」、「小組Ｂ」及び「小組Ｃ」は、物件毎のＤＴＰデータを小組テンプレート毎に分類するために設けられたフォルダである。このようにフォルダ「小組Ａ」、「小組Ｂ」及び「小組Ｃ」に物件毎のＤＴＰデータを分類することにより、物件毎のＤＴＰデータが元々どの小組テンプレートにどの物件データを割り付けた結果得られたものであるのかを知ることができる。
【００２５】
また、同一の物件を同一のカタログに複数掲載し、掲載箇所に応じて物件データを割り付ける小組テンプレートを異ならせる場合もある。このような場合、フォルダ「小組Ａ」、「小組Ｂ」及び「小組Ｃ」に物件毎のＤＴＰデータを分類することにより、同一の物件データであってもどの小組テンプレートに割り付けたものであるのかを知ることができる。
【００２６】
上述したように、フォルダ「１＿ＧＲＥＥＮＷＯＯＤ」又はこれと同一階層のフォルダに格納されているＤＴＰデータは、ＤＴＰ上で編集されていることがある。これは、制作者の意図によることであるが、そのように編集されたＤＴＰデータを７月号にも用いたいと制作者が考える場合がある。ところが、７月号を６月号と同様に制作することとすると、ＸＳＬ−ＦＯプロセッサによりＤＴＰデータの原型を生成し、それに対して６月号の場合と同様な編集をＤＴＰ上でしなければならなくなり、制作の効率が悪くなる。そこで、本発明では、そのような編集を不要とするために所定の前処理（流用小組ＤＴＰデータ生成部１１１（図１１）により行われる小組ＤＴＰデータを流用する処理及び新規小組ＤＴＰデータ生成部１１２（図１１）により行われる小組ＤＴＰデータを生成する処理）を行った上で、ＸＳＬＴ電子文書の段階から特別の処理（ページアップを行う処理）をする。
【００２７】
図２を参照すると、まず、図１（ｂ）に示すように、ファイルサーバ１０１にフォルダ「７月号カタログ」を作成し（ステップＳ２０１）、フォルダ「７月号カタログ」の下にフォルダ「画像」、「小組Ａ」、「小組Ｂ」及び「小組Ｃ」を作成し、フォルダ「画像」の下にフォルダ「共通画像」を作成する（ステップＳ２０２）。
【００２８】
次に、６月号の１又は複数のページの何れかのページのＤＴＰデータからＤＴＰデータを流用することをユーザが所望する小組及び物件の組合せを選択するための図３に示すような画面を表示する。この画面は６月号カタログのＤＴＰデータを基に作成されたものではなく、６月号カタログ作成の過程のうちの小組配置・物件割当手段による小組配置・物件割当てが終了した後にデータベースに格納された物件ＩＤ、小組テンプレート及びページテンプレートを基に作成されたものである。ユーザは図３に示すような画面で所望の小組及び物件の組合せを選択する（ステップＳ２０３）。
【００２９】
次に、図１（ｂ）に示すように、フォルダ「６月号カタログ」の下のフォルダ「画像」の下のフォルダ「共通画像」をそこに格納されている共通画像と共にフォルダ「７月号カタログ」の下のフォルダ「画像」の下にコピーする（ステップＳ２０４）。
【００３０】
次に、フォルダ「６月号カタログ」の下の全ての小組名のフォルダの下の全ての「物件ＩＤ＋物件名」のフォルダのうちから、ステップＳ２０３で選択された小組及び物件の組合せに該当するフォルダを小組テンプレート名及び物件ＩＤをキーとして検索し、そのフォルダにある小組ＤＴＰデータで参照している画像をフォルダ「６月号カタログ」の下のフォルダ「画像」からフォルダ「７月号カタログ」の下のフォルダ「画像」にコピーし（ステップＳ２０５）、その検索されたフォルダ及びそのフォルダに格納されている小組ＤＴＰデータをフォルダ「７月号カタログ」の下の該当する小組名のフォルダの下にコピーする（ステップＳ２０６）。図１（ｂ）の例では、ステップＳ２０６で小組ＤＴＰデータと共にコピーされたフォルダはフォルダ「７月号カタログ」の下のフォルダ「小組Ａ」の下のフォルダ「１＿ＧＲＥＥＮＷＯＯＤ」及び「７＿イングリッシュ・シティ」、フォルダ「７月号カタログ」の下のフォルダ「小組Ｂ」の下のフォルダ「５＿ＥＲＡマンツーマン英会話」並びにフォルダ「７月号カタログ」の下のフォルダ「小組Ｃ」の下のフォルダ「ＭＯＶＩＡ」である。
【００３１】
次に、ステップＳ２０４、Ｓ２０５及びＳ２０６でコピーされたＤＴＰデータを基に、流用する小組及び物件データについてのＤＴＰ画面を表示し、そのＤＴＰ画面上で必要に応じて小組レイアウトの修正及び／又は物件データの修正を行い、修正された物件データについては物件データベースに赤字フィードバックする（ステップＳ２０７）。修正された小組レイアウト及び／又は修正された物件データは、フォルダ「７月号カタログ」の下の該当する小組フォルダの下の該当する物件フォルダに格納されているＤＴＰデータ及びフォルダ「７月号カタログ」の下のフォルダ「画像」に格納されている画像及びフォルダ「７月号カタログ」の下のフォルダ「画像」の下のフォルダ「共通画像」に格納されている画像に反映させる。
【００３２】
ステップＳ２０３、Ｓ２０４、Ｓ２０５、Ｓ２０６及びＳ２０７は、流用する全ての小組について繰り返される。
【００３３】
以上が流用する小組についてのＤＴＰデータをフォルダ「７月号」の下に生成する方法である。次に、新規に生成する小組についてのＤＴＰデータをフォルダ「７月号」の下に生成する方法について説明する。
【００３４】
まず、小組テンプレートを配置するための台紙ページを表示し、ユーザの操作により、その台紙にユーザが所望する小組テンプレートを配置し、その小組テンプレートにユーザが所望する物件データを割り付ける（ステップＳ２０８）。
【００３５】
次に、ステップＳ２０８で配置された小組テンプレート及びそれに割り付けられた物件データを基にＤＴＰデータを生成し、カタログ「７月号カタログ」の下の該当する小組テンプレートのフォルダの下に割り付けられた物件の物件ＩＤ及び物件名より成る名称のフォルダを生成し、そのフォルダにＤＴＰデータを格納する（ステップＳ２１０）。図１（ｃ）に示すフォルダ「１０＿ニューヨーカー」がステップＳ２１０で生成されたフォルダの例である。
【００３６】
次に、ステップＳ２０７と同様に、ステップＳ２１０で格納したＤＴＰデータを基にＤＴＰ画面を表示し、そのＤＴＰ画面上で必要に応じて小組レイアウトの修正及び／又は物件データの修正を行い、修正された物件データについては物件データベースに赤字フィードバックする（ステップＳ２１０）。修正された小組レイアウト及び／又は修正された物件データは、フォルダ「７月号カタログ」の下の該当する小組フォルダの下の該当する物件フォルダに格納されているＤＴＰデータ及びフォルダ「７月号カタログ」の下のフォルダ「画像」に格納されている画像及びフォルダ「７月号カタログ」の下のフォルダ「画像」の下のフォルダ「共通画像」に格納されている画像に反映させる。
【００３７】
以上で流用する小組及び物件データの組合せのＤＴＰデータ及び新規に作成する小組及び物件データの組合せのＤＴＰデータをフォルダ「７月号カタログ」の下に格納する処理である上述の前処理が完了する。
【００３８】
次に、ページアップを行う処理について説明する。
【００３９】
図４を参照すると、まず、特許文献１に記載の小組配置・物件割当手段と同様の機能を有する小組配置・物件割付部１１３（図１１）により、７月号カタログの各ページに小組テンプレートを配置する（ステップＳ２２１）。この際、既に小組ＤＴＰデータが流用又は作成されているか否かの区別はつけられない。すなわち、既に小組ＤＴＰデータが流用又は作成されている小組及び物件データの組合せに係る小組テンプレートもそうでない小組テンプレートも各ページに配置される。
【００４０】
次に、小組配置・物件割付部１１３により、各小組テンプレートに物件を割り付ける（ステップＳ２２２）。この際、既に小組ＤＴＰが流用又は作成されているか否かの区別はつけられない。すなわち、既に小組ＤＴＰデータが流用又は作成されている小組及び物件データの組合せに係る物件もそうでない物件も小組テンプレートに割り付けられる。
【００４１】
次に、配置されて物件データが割り付けられた全ての小組テンプレートについて、その小組テンプレートに係る小組テンプレートと物件データの組合せの小組ＤＴＰデータがフォルダ「７月号カタログ」の下にあるか否かを判断する（ステップＳ２２４）。この際、具体的には、各小組テンプレートとそれに割り付けられた物件データの組合せについて、フォルダ「７月号カタログ」の下にその小組テンプレートの名称のフォルダがあり、更にそのフォルダの下にその物件データの物件ＩＤ及び物件名よりなる名称のフォルダがあるかどうかを判断する。
【００４２】
ステップＳ２２４の判断結果が肯定的である場合には、当該小組テンプレートを所定の色（例えば、赤色）で表示し、当該小組テンプレートが流用小組ＤＴＰデータ又は新規小組ＤＴＰデータに係る小組テンプレートであることをユーザが認識できるようにする（ステップＳ２２５）。
【００４３】
次に、ＸＳＬＴ電子文書生成部１１４（図１１）により図５、６、７、８及び９に示すようなＸＳＬＴ電子文書１１５を作成する。
【００４４】
図５の符号３０１で示す部分は、各ページ毎の記述部分であり、この部分は、具体的には図６に示すように記述される。
【００４５】
図６の符号３０２で示す部分は、各小組毎の記述部分である。流用小組ＤＴＰデータを利用する小組又は新規小組ＤＴＰデータを利用する小組以外の小組については、記述部分３０２は、具体的には図７に示すように記述される。これは、特許文献１の図２７の枠（Ｃ）で囲まれた部分に相当する。図７に示す記述は、小組及びデータの各要素に関する具体的な記述であり、本発明によるＸＳＬＴプロセッサ１１７により従来のＸＳＬＴプロセッサと同様の方法により記述の文字通り解釈される。一方、流用小組ＤＴＰデータを利用する小組又は新規小組ＤＴＰデータを利用する小組については、本発明に従って、記述部分３０２は、具体的には図８に示すように記述される。なお、当該小組が流用小組ＤＴＰデータを利用する小組又は新規小組ＤＴＰデータを利用する小組であるか否かを判断する方法は、ステップＳ２２４と同様である。
【００４６】
図８を参照すると、第１行目及び第５行目には、"recycle"という名称のテンプレートを呼ぶ文が記述されている。第２行目〜第４行目には、テンプレートに渡す実引数を表す文が記述されている。第２行目には、"link-file"という名称の引数の実値が”小組テンプレート名￥物件ＩＤ＿物件名”であることが記述されている。”小組テンプレート名￥物件ＩＤ＿物件名”は、具体的には、例えば、"小組Ａ￥１＿ＧＲＥＥＮＷＯＯＤ"である。"link-file"という名称の引数は、本発明に従って導入された独自の引数である。第３行及び第４行には、実引数としての小組の座標の具体的な値を表す文が記述されている。
【００４７】
"recycle"という名称のテンプレートの実体は、図５の枠３０３に示すとおりである。第２行〜第４行では、３つの実引数を受け取り、受け取った３つの実引数を第５行で利用している。
【００４８】
図５の枠３０４で示す部分は、特許文献１の図２８の枠（Ｆ）に相当する部分である。この部分は、図７に示す文により呼び出される。
【００４９】
図４のステップＳ２２７、Ｓ２２８、Ｓ２２９及びＳ２３０は、ＸＳＬＴ電子文書を作成する処理のうちの小組の種類に応じて、図７に示す記述を作成し、又は図８に示す記述を作成する部分を示す。
【００５０】
次に、小組配置・物件割付部１１３により、カタログに掲載する全ての物件データのうち流用小組ＤＴＰデータも新規小組ＤＴＰデータも利用しない小組に割り付けた物件データ又は全ての物件データを記述したＸＭＬ電子文書１１６を生成する（ステップＳ２３１）。
【００５１】
次に、図５、６、７、８及び９に示すＸＳＬＴ電子文書１１５及びステップＳ２３１で生成したＸＭＬ電子文書１１６を基に、ＸＳＬＴプロセッサ１１７（図１１）によりＸＳＬ−ＦＯ電子文書１１８を生成する（ステップＳ２３２）。
【００５２】
ステップＳ２３２で生成したＸＳＬ−ＦＯ電子文書のうちの枠組みの部分及び本発明に係る部分を図１０に示す。本発明に係る部分は符号３０５で示す部分である。図５の符号３０３で示すＸＳＬＴ電子文書の部分と図１０の符号３０５で示すＸＳＬ−ＦＯ電子文書の部分とを比較すると明らかなように、ＸＳＬ−ＦＯ電子文書においては、ＸＳＬＴ電子文書において実引数が代入された文が生成される。
【００５３】
次に、ＸＳＬ−ＦＯプロセッサ１１９（図１１）により、図１０に示すＸＳＬ−ＦＯ電子文書１１８とファイルサーバ１０１のフォルダ「７月号カタログ」の下に格納されている小組ＤＴＰデータを基に、ページＤＴＰデータの集まりであるカタログＤＴＰデータ１２０を生成する。
【００５４】
ＸＳＬ−ＦＯプロセッサは、従来通りの機能に加え、本発明に従って導入された予約語"link-file"を見つけたならば、その予約語"link-file"の値で示されるフォルダをフォルダ「７月号」の下から検索し、検索されたフォルダに格納されている小組ＤＴＰデータをページＤＴＰデータに挿入する。
【００５５】
なお、上述した流用小組ＤＴＰデータ生成部１１１、新規小組ＤＴＰデータ生成部１１２、小組配置・物件割付部１１３、ＸＳＬＴ電子文書生成部１１４、ＸＳＬＴプロセッサ１１７及びＸＳＬ−ＦＯプロセッサ１１９は、ハードウェアによって実現することもできるし、コンピュータをこれらの部分として機能させるためのプログラムをコンピュータが読み込んで実行することによっても実現することができる。
【産業上の利用可能性】
【００５６】
本発明は、物件情報掲載誌等の出版等に利用することができる。
【図面の簡単な説明】
【００５７】
【図１】本発明の実施形態で利用する小組ＤＴＰデータ等を格納するためのファイルサーバの構成を示す図である。
【図２】本発明の実施形態によるＤＴＰ方法の前半部を示すフローチャートである。
【図３】本発明の実施形態で表示する流用小組を選択するための画面を示す図である。
【図４】本発明の実施形態によるＤＴＰ方法の後半部を示すフローチャートである。
【図５】本発明の実施形態によるＤＴＰ方法で生成するＸＳＬＴ電子文書の内容例を示す第１の図である。
【図６】本発明の実施形態によるＤＴＰ方法で生成するＸＳＬＴ電子文書の内容例を示す第２の図である。
【図７】本発明の実施形態によるＤＴＰ方法で生成するＸＳＬＴ電子文書の内容例を示す第３の図である。
【図８】本発明の実施形態によるＤＴＰ方法で生成するＸＳＬＴ電子文書の内容例を示す第４の図である。
【図９】本発明の実施形態によるＤＴＰ方法で生成するＸＳＬＴ電子文書の内容例を示す第５の図である。
【図１０】本発明の実施形態によるＤＴＰ方法で生成するＸＳＬ−ＦＯ電子文書の内容例を示す図である。
【図１１】本発明の実施形態によるＤＴＰ装置の構成を示すブロック図である。
【符号の説明】
【００５８】
１０１  ファイルサーバ
１１１  流用小組ＤＴＰデータ生成部
１１２  新規小組ＤＴＰデータ生成部
１１３  小組配置・物件割付部
１１４  ＸＳＬＴ電子文書生成部
１１５  ＸＳＬＴ電子文書
１１６  ＸＭＬ電子文書
１１７  ＸＳＬＴプロセッサ
１１８  ＸＳＬ−ＦＯ電子文書
１１９  ＸＳＬ−ＦＯプロセッサ
１２０  カタログＤＴＰデータ
【図１】
2005165409.tif 000003
【図２】
2005165409.tif 000004
【図３】
2005165409.tif 000005
【図４】
2005165409.tif 000006
【図５】
2005165409.tif 000007
【図６】
2005165409.tif 000008
【図７】
2005165409.tif 000009
【図８】
2005165409.tif 000010
【図９】
2005165409.tif 000011
【図１０】
2005165409.tif 000012
【図１１】
2005165409.tif 000013